(57)【要約】【課題】電池の交換作業を容易に行うことができると共に適切に電気的な接続状態を維持することができる電池収容構造を提供する。【解決手段】  本発明は、扉２の壁面に取り付けられる室内側ハンドル３に設けられる電池式の電気錠の電池収容構造３１等であって、電池３２を縦向きに収容する電池収容部３６が形成されるカートリッジ３３と、カートリッジ３３を内設する電源空間Ｓ２が形成される室内側ハンドル３の室内下側台座１４と、を備え、カートリッジ３３は、電源空間Ｓ２から外側に回動可能なように上下いずれか一端側が室内下側台座１４に支持されていることを特徴とする。【選択図】図３
2014167237.tif 000002
【特許請求の範囲】
【請求項１】
扉の壁面に取り付けられるハンドルに設けられる電池式の電気錠の電池収容構造であって、
電池を縦向きに収容する電池収容部が形成されるカートリッジと、
前記カートリッジを内設する空間が形成される前記ハンドルの台座と、を備え、
前記カートリッジは、前記空間から外側に回動可能なように上下いずれか一端側が前記台座に支持されていることを特徴とする電池収容構造。
【請求項２】
前記台座は、前記空間を開閉可能なカバーを有し、
前記カバーは、前記台座に着脱可能に設けられ、
前記カートリッジが、前記台座に回動可能に支持されていることを特徴とする請求項１に記載の電池収容構造。
【請求項３】
前記台座は、前記空間を開閉可能なカバーを有し、
前記カバーは、前記カートリッジと一体に前記台座に回動可能に支持されていることを特徴とする請求項１に記載の電池収容構造。
【請求項４】
前記カートリッジは、前記電池収容部が内設され、前記空間から外側に回動可能なように上下いずれか一端側が支持されるカートリッジ本体と、前記電池収容部に収容された前記電池の上下いずれか他端に対し離接可能に設けられるカートリッジ蓋部と、を含んで構成されていることを特徴とする請求項１ないし３のいずれかに記載の電池収容構造。
【請求項５】
前記カートリッジ蓋部は、前記カートリッジ本体に対し回動可能に支持されていることを特徴とする請求項４に記載の電池収容構造。
【請求項６】
前記カートリッジは、下端側で回動可能なように支持され、
前記カートリッジには、外側への回動を規制するストッパが設けられていることを特徴とする請求項１ないし５のいずれかに記載の電池収容構造。
【請求項７】
前記カートリッジは、上端側で回動可能なように支持されていることを特徴とする請求項１ないし５のいずれかに記載の電池収容構造。
【発明の詳細な説明】
【技術分野】
【０００１】
本発明は、電池式の電気錠に好適に用いられる電池収容構造に関する。
【背景技術】
【０００２】
近年、商業施設、集合住宅等の出入口や一般住宅の玄関等では、ＩＣカード等をリーダにかざすことによりデッドボルトを電気的に駆動させて施解錠を行う電気錠が設置されている。このような電気錠の電源として電池を用いたものが、一般的に知られている。
【０００３】
例えば、特許文献１には、デッドボルトを進退させるモータ等の電源となる２本の電池を保持する電池ボックスを、電気錠の容器内に固定する技術が開示されている。
【先行技術文献】
【特許文献】
【０００４】
【特許文献１】特開２００３−２６９０１８号公報
【発明の概要】
【発明が解決しようとする課題】
【０００５】
しかしながら、従来の技術では、容器内に固定された電池ボックスの電池を交換する場合、作業者は容器内の狭い空間において電池ボックスに対する電池の着脱作業を行うことを余儀なくされていた。このため、電池の交換作業を容易に行うことができないという問題があった。特に、複数の電池を交換する場合、交換作業にかかる手間と時間が増し、作業効率の大幅な低下を招いていた。
【０００６】
また、電池の着脱の際には、電池ボックスとモータ等の駆動回路との配線に負荷がかかるため、当該配線が損傷する可能性（コネクタ接続の場合にはコネクタ抜けの可能性）もあった。
【０００７】
本発明は、電池の交換作業を容易に行うことができると共に適切に電気的な接続状態を維持することができる電池収容構造を提供することを目的とする。
【課題を解決するための手段】
【０００８】
本発明の電池収容構造は、扉の壁面に取り付けられるハンドルに設けられる電池式の電気錠の電池収容構造であって、電池を縦向きに収容する電池収容部が形成されるカートリッジと、前記カートリッジを内設する空間が形成される前記ハンドルの台座と、を備え、前記カートリッジは、前記空間から外側に回動可能なように上下いずれか一端側が前記台座に支持されていることを特徴とする。
【０００９】
この構成によれば、カートリッジを回動させて傾けることにより、電池の交換作業を行い易い外部にカートリッジを移動させることができる、これにより、電池の交換作業を容易に行うことができる。特に、複数の電池を交換する場合には、交換作業にかかる手間と時間を有効に削減することができ、作業効率を大幅に向上させることができる。
【００１０】
この場合、前記台座は、前記空間を開閉可能なカバーを有し、前記カバーは、前記台座に着脱可能に設けられ、前記カートリッジが、前記台座に回動可能に支持されていることを特徴とする。
【００１１】
この構成によれば、台座からカバーを取り外した後に、カートリッジを回動させて傾けることにより、カートリッジを台座の外側に露出させることができる。これにより、電池の交換作業を容易に行うことができる。
【００１２】
また、他の場合、前記台座は、前記空間を開閉可能なカバーを有し、前記カバーは、前記カートリッジと一体に前記台座に回動可能に支持されていることを特徴とする。
【００１３】
この構成によれば、カバーとカートリッジとを一体として回動（傾動）させることができる。これにより、カバーの開放動作に連動してカートリッジを台座の外部に引き出すことができるため、電池の交換作業にかかる工程を簡素化することができる。
【００１４】
これら場合、前記カートリッジは、前記電池収容部が内設され、前記空間から外側に回動可能なように上下いずれか一端側が支持されるカートリッジ本体と、前記電池収容部に収容された前記電池の上下いずれか他端に対し離接可能に設けられるカートリッジ蓋部と、を含んで構成されていることを特徴とする。
【００１５】
この構成によれば、例えば、カートリッジ本体を回動させて台座の外側に露出させ、その後、カートリッジ蓋部を開放することにより、電池収容部の電池を交換することができるようになる。なお、カートリッジ本体の回動に先立ちカートリッジ蓋部を開放してもよい。この場合、電池の交換作業は、電池を軸方向に挿脱させることで行われる。これにより、電池の交換作業を簡単に且つ迅速に行うことができる。また、電池の挿脱（交換）時にカートリッジに無理な力が作用することが防止されるため、例えば、カートリッジから延出する電源ケーブル等に負荷がかかることがなく、電源ケーブルの損傷や、電源ケーブルの接続部分であるコネクタの離脱等を有効に抑制することができる。なお、カートリッジの回動中心を下端側に設けた場合には、電池の自重を利用して、電池を上方から滑らすようにカートリッジ本体内に挿入することで装着を完了することができる。一方、回動中心を上端側に設けた場合には、カートリッジ蓋部を開放すると、電池は自重により脱落するため、容易に電池を取り出すことができる。
【００１６】
この場合、前記カートリッジ蓋部は、前記カートリッジ本体に対し回動可能に支持されていることを特徴とする。
【００１７】
この構成によれば、カートリッジ蓋部により電池収容部を閉塞した状態で、カートリッジ本体を回動させることができる。これにより、回動させている途中で電池が脱落することを防止することができる。この構成は、回動中心が上端側に設けられた場合に、特に有効である。
【００１８】
これらの場合、前記カートリッジは、下端側で回動可能なように支持され、前記カートリッジには、外側への回動を規制するストッパが設けられていることを特徴とする。
【００１９】
この構成によれば、カートリッジの下端側に回動中心があるため、カートリッジは自重により外側に回動しようとするが、ストッパによりカートリッジの回動が規制され、カートリッジの傾動角度が維持される。これにより、カートリッジが意図せず過剰に外側に回動することを防止することができる。
【００２０】
また、これらの場合、前記カートリッジは、上端側で回動可能なように支持されていることを特徴とする。
【００２１】
この構成によれば、カートリッジの上端側に回動中心があるため、自重によるカートリッジの過剰な回動を防止することができる。これにより、自重によるカートリッジの回動を規制する部材を省略することができる。
【発明の効果】
【００２２】
本発明によれば、電池の交換作業を容易に行うことができると共に適切に電気的な接続状態を維持することができる電池収容構造を得ることができる。
【図面の簡単な説明】
【００２３】
【図１】本発明の第１実施形態に係る電気錠システムを示す概略図である。
【図２】本発明の第１実施形態に係る電気錠システムの室内側ハンドルおよび室外側ハンドルを示す側断面図である。
【図３】本発明の第１実施形態に係る電池収容構造を示す斜視図であり、（ａ）はカバーを取り外した状態を示し、（ｂ）は電力供給装置を回動させた状態を示している。
【図４】本発明の第１実施形態に係る電池収容構造を示す側断面図であり、（ａ）はカバーを取り付けた状態を示し、（ｂ）は電力供給装置を回動させた状態を示している。
【図５】本発明の第１実施形態に係る電力供給装置を示す斜視図である。
【図６】本発明の第２実施形態に係る電池収容構造を示す斜視図であり、（ａ）はカバーを取り付けた状態を示し、（ｂ）はカバーおよび電力供給装置を回動させた状態を示している。
【図７】本発明の第２実施形態に係る電池収容構造を示す側断面図である。
【図８】本発明の第３実施形態に係る電池収容構造を示す斜視図である。
【図９】本発明の第４実施形態に係る電池収容構造を示す側断面図である。
【発明を実施するための形態】
【００２４】
＜第１実施形態＞
以下、図面を参照しつつ、本発明の第１実施形態に係る電池収容構造を備えた電気錠システムについて説明する。ここで、図１は第１実施形態に係る電気錠システムを示す概略図、図２は室内側ハンドルおよび室外側ハンドルを示す側断面図である。図３は電池収容構造を示す斜視図であり、（ａ）はカバーを取り外した状態を示し、（ｂ）は電力供給装置を回動させた状態を示している。図４は電池収容構造を示す側断面図であり、（ａ）はカバーを取り付けた状態を示し、（ｂ）は電力供給装置を回動させた状態を示している。なお、以降、説明の便宜のため、特に指定のない限り、図２において、扉の室外側である左側を正面（前）とし、扉の室内側である右側を背面（後）と規定する。
【００２５】
図１および図２に示すように、電気錠システム１は、扉２の室内外の両壁面にそれぞれ固定される室内側ハンドル３および室外側ハンドル４と、各ハンドル３，４にそれぞれ回転可能に支持される室内側操作レバー５および室外側操作レバー６と、各操作レバー５，６の回転に伴って扉２の木口２ａに対してラッチボルト７ａが進退可能に設けられるラッチ錠７と、室外側ハンドル４に設置される施解錠操作装置８と、施解錠操作装置８から送られる信号に基づいてデッドボルト９ａ，１０ａをそれぞれ駆動させる主電気錠９および副電気錠１０と、扉２の内部に設けられる制御装置１１と、施解錠操作装置８、各電気錠９，１０および制御装置１１に電力を供給する電力供給装置１２と、を備えて概略構成されている。
【００２６】
図２に良く示されるように、室内側ハンドル３は、扉２の室内側壁面に上下に離間して固定される室内上側台座１３および室内下側台座１４と、各台座１３，１４を連結するように延設される室内側連結部１５と、を有し、全体として背面側（室内側）に僅かに湾曲したアーチ状に形成されている。
【００２７】
室内上側台座１３から室内側連結部１５の上下方向中央に亘る部分の正面側（前側）には、室内側操作レバー５が設けられる操作レバー挿入部１６が凹状に形成されている。
【００２８】
室内上側台座１３の下側は中空状を成し、配設空間Ｓ１が形成されている。この配設空間Ｓ１の上部に設けられた回転軸部１７には、捩りコイルバネ１８によって前方に付勢された状態で室内側操作レバー５が前後方向に回動可能に支持されている。室内側操作レバー５の上部には室内側ラッチバー１９が固定され、その先端の突起部１９ａが、ラッチ錠７を作動させる作動片（図示せず）に当接するように扉２内に延設されている。
【００２９】
室内下側台座１４の上側には、電源空間Ｓ２を形成する凹部１４ａが前側に窪んで設けられている。凹部１４ａの開口部１４ｂは、室内下側台座１４の背面側が開放されると共に、左右両側壁が前後方向中途まで切り込まれて形成されている（図３参照）。また、室内下側台座１４は、電源空間Ｓ２を開閉可能なカバー２０を有しており、カバー２０は、凹部１４ａに対し着脱可能に取り付けられている。室内下側台座１４は、カバー２０が電源空間Ｓ２（開口部１４ｂ）を閉塞した状態で、室内上側台座１３を上下反転させたような外観を成すようになっている。
【００３０】
図３（ａ）に示すように、カバー２０は、室内側ハンドル３の外観と一体を成すように湾曲する背面部２０ａと、背面部２０ａから前方に延出する左右一対の側面部２０ｂと、により一体形成されている。カバー２０は、背面視で上下方向に長い矩形状に、側面視で略三角形状に、上下方向から見て略Ｕ字状に形成されている。また、各側面部２０ｂの前端部には、室内下側台座１４の左右両側壁に設けられたフック係合部１４ｃに係合するフック部２０ｃが前方に向かって延設されている。
【００３１】
詳細は後述するが、凹部１４ａ（電源空間Ｓ２）の下端側には、電力供給装置１２を回動可能に支持する電源回動軸部２１が設けられている。電源回動軸部２１の左右両端面は、室内下側台座１４の左右両側壁面に略水平に固定されている。なお、凹部１４ａの下端部には、電源空間Ｓ２と扉２内部とを連通させる配線孔１４ｄが開口している。
【００３２】
また、図４に良く示されるように、凹部１４ａ（電源空間Ｓ２）の上端側には、電力供給装置１２の上端部に係合するロックレバー２２が設けられている。ロックレバー２２は、正面側（前側）で上下方向に略１８０°折れ曲がり下方に付勢力を作用させる板バネ部２２ａと、板バネ部２２ａの上側後端から上方に延出しネジＢ１により凹部１４ａの上端部に固定される固定部２２ｂと、板バネ部２２ａの下側後端部から下方に突出する係合突起２２ｃと、を有している。
【００３３】
なお、室内上側台座１３の上部および室内下側台座１４の下部には、それぞれサムターン開口部３ａが貫通形成されている。また、室内上側台座１３の下端部および配設空間Ｓ１とサムターン開口部３ａとの間には、上下一対のネジ挿通孔３ｂが開口している。同様に、室内下側台座１４の上下両端部にも上下一対のネジ挿通孔３ｂが開口している。
【００３４】
続いて、図２に示すように、室外側ハンドル４は、上記した室内側ハンドル３と同様に構成されており、扉２の室外側壁面に上下に離間して固定される室外上側台座２３および室外下側台座２４と、各台座２３，２４を連結するように延設される室外側連結部２５と、を有し、全体として正面側（室外側）に僅かに湾曲したアーチ状に形成されている。
【００３５】
室外上側台座２３から室外側連結部２５の上下方向中央に亘る部分の背面側（後側）には、室外側操作レバー６が設けられる操作レバー挿入部２６が凹状に形成されている。
【００３６】
室外上側台座２３の下側に形成された配設空間Ｓ３内には、室外側操作レバー６が、捩りコイルバネ２８により後方に付勢された状態で回転軸部２７に回動可能に支持されている。室外側操作レバー６の上部には、扉２内に延設された突起部２９ａを有する室外側ラッチバー２９が固定されている。
【００３７】
なお、室外下側台座２４の下側は中空状に形成されている。室内上側台座１３の上部および室内下側台座１４の下部には、それぞれシリンダ開口部４ａが貫通形成されている。
【００３８】
また、各台座２３，２４には、各ネジ挿通孔３ｂに対応する位置に、それぞれ上下一対のネジ孔４ｂが設けられている。室外上側台座２３および室外下側台座２４は、それぞれ上記した室内上側台座１３および室内下側台座１４との間に扉２を挟むように配置され、各ネジ挿通孔３ｂに挿入して扉２を貫通させたネジＢ２の先端部を各ネジ孔４ｂに螺合させることで扉２に固定される。
【００３９】
上記の構成おいて室外から扉２を開放するには、室外側ハンドル４を把持して、室外側操作レバー６を前方に押圧する（室外側に引く）と、室外側操作レバー６と共に室外側ラッチバー２９が回転軸部２７を中心に前方に回動し、室外側ラッチバー２９の突起部２９ａが下方に移動する。そして、突起部２９ａが作動片を押下げることにより、ラッチボルト７ａの係止が解除され、ラッチボルト７ａが扉２の木口２ａから退避可能となる。なお、室内側ハンドル３の室内側操作レバー５を押圧操作した場合の作用は、上記した作用と同様であるため、その説明を省略する。
【００４０】
施解錠操作装置８は、例えば、非接触型ＩＣカード、キーヘッド、タグ若しくは指等で接触するタッチキー、テンキーまたは指紋等の生体認証式等のリーダ（図示せず）を備えている。
【００４１】
図１および図２に示すように、主電気錠９は、室内上側台座１３および室外上側台座２３の上部において木口２ａに沿うように扉２の内部に設けられている。主電気錠９には、扉２の木口２ａに対してデッドボルト９ａ進退させるモータやソレノイド等の駆動手段や駆動手段を制御する電気基板（いずれも図示せず）等が内設されている。主電気錠９には、手動でデッドボルト９ａを進退操作するためのサムターン（図示せず）が、室内上側台座１３のサムターン開口部３ａから室内に露出するように設けられている。さらに、主電気錠９には、機械的キーが挿入されて施解錠が行われるシリンダ錠（図示せず）が、室外上側台座２３のシリンダ開口部４ａから室外に露出するように設けられている。
【００４２】
副電気錠１０は、主電気錠９と同様に、室内下側台座１４および室外下側台座２４の下部において木口２ａに沿うように扉２の内部に設けられ、デッドボルト１０ａを進退させる駆動手段や電気基板等（図示せず）を備えている。また、副電気錠１０には、室内下側台座１４のサムターン開口部３ａから室内に露出するサムターンと、室外下側台座２４のシリンダ開口部４ａから室外に露出するシリンダ錠と、が設けられている（いずれも図示せず）。
【００４３】
図１に示すように、制御装置１１は、主電気錠９の上方において扉２の内部に設けられており、ＣＰＵ、ＲＯＭおよびＲＡＭ等を有するマイクロコンピュータ（図示せず）により構成されている。制御装置１１は、施解錠操作装置８（のリーダ）で読み取って送信された認証情報が正しい認証情報であるか否かを判別する機能等を有している。また、制御装置１１は、主電気錠９を施錠した場合に副電気錠１０も同時に施錠する施錠追従機能や、２つの電気錠９，１０のうち一方のみを解錠し、一定時間内に他方の電気錠を解錠しない場合に解錠した一方の電気錠を再び自動で施錠する施錠復帰機能を有している。
【００４４】
上記した制御装置１１による各種機能を実現するために、制御装置１１は、施解錠操作装置８と、主電気錠９と、副電気錠１０とに対し、それぞれケーブル３０を介して電気的に接続されている。すなわち、ケーブル３０を通じて制御情報等の伝送が行われている。
【００４５】
次に、上記した電気錠システム１の動作について簡単に説明する。なお、施解錠操作装置８、各電気錠９，１０、制御装置１１には、電力供給装置１２から電力が供給されているものとする。
【００４６】
先ず、室外側から入室しようとする者がＩＣカード等を施解錠操作装置８にかざすと、認証情報が制御装置１１に送信される。制御装置１１では、受信した認証情報が予め記憶された特定の認証情報と合致するか否かが判別される。この結果、合致すると判別された場合、制御装置１１から主電気錠９に解錠信号が出力され、主電気錠９が解錠される。また、主電気錠９の解錠に連動して、制御装置１１から解錠信号が出力され、副電気錠１０が解錠される。一方、合致せずと判別された場合には、主電気錠９の解錠は行われない。
【００４７】
次に、図３ないし図５を参照して、第１実施形態に係る電池収容構造について詳細に説明する。図５は、電力供給装置１２を示す斜視図である。なお、以降の説明では、前後方向を「奥行方向」とも呼ぶこととし、正面側を「奥側」とも呼び、背面側を「手前側」とも呼ぶこととする。
【００４８】
電池収容構造３１は、扉２の内壁面に取り付けられる室内側ハンドル３に設けられるものであり、電力供給装置１２と、室内下側台座１４およびカバー２０と、を含んで構成されている。
【００４９】
図３ないし図５に示すように、電力供給装置１２は、上記した室内側ハンドル３の室内下側台座１４に形成された電源空間Ｓ２（凹部１４ａ内）に配設されており、複数の電池３２と、各電池３２を保持するカートリッジ３３と、を備えて構成されている。なお、第１実施形態では複数の電池３２として、円筒型の乾電池を４本使用している。
【００５０】
カートリッジ３３は、主要な外観を成すカートリッジ本体３４と、カートリッジ本体３４の上端に設けられるカートリッジ蓋部３５と、を備えている。
【００５１】
カートリッジ本体３４は、各電池３２を縦向きに収容可能な電池収容部３６と、電池収容部３６の下端に固定されるカートリッジ基部３７と、電池収容部３６の上下方向中間に取り付けられるストッパ３８（図４参照）と、を有し、絶縁性の樹脂材料により一体形成されている。
【００５２】
図３および図５に良く示されるように、電池収容部３６は、平面視で、正方形の４つの角部分が円形にくり抜かれたような略十字状に形成されている。この４つのくり抜かれた部分が、各電池３２を収容する収容空間Ｓ４となっている。したがって、４つの収容空間Ｓ４は、平面視で２行２列の格子状に形成されている。また、各収容空間Ｓ４は、上下方向の長さ（高さ）が電池３２の軸方向の長さと略同一となる半円筒形状に形成されている。なお、電池収容部３６の左右両側面には、それぞれリード金具４０（図５参照）が上下方向に延設されている。
【００５３】
カートリッジ基部３７は、平板状に形成される板状部４１と、板状部４１の下面から下方に突設される左右一対の回動軸支部４２と、により一体形成されている。
【００５４】
板状部４１の上面には、左右方向に長い矩形状の第１接続端子４４（金属等の導電材料）、奥行方向に２つ並設されている。各第１接続端子４４は、各収容空間Ｓ４に収容した各電池３２の軸方向一端（下端）側に設けられた第１電極３２ａ（第１実施形態では負極）に接触するようになっている。
【００５５】
また、奥側の第１接続端子４４（負極）および図５において左側のリード金具４０（正極）の下端部には、電源ケーブル４３が接続されている。電源ケーブル４３は、電源空間Ｓ２から配線孔１４ｄを通って扉２内に延出し、その先端にはレセプタクルコネクタ４５が取り付けられている。レセプタクルコネクタ４５は、ケーブル３０に取り付けられたプラグコネクタ３０ａに接続されている。これにより、電力供給装置１２は、電源ケーブル４３およびケーブル３０を介して、施解錠操作装置８、主電気錠９、副電気錠１０、制御装置１１等に電源を供給するようになっている（図１参照）。なお、ケーブル３０は制御線の他に電力線等を含んで構成されている。
【００５６】
各回動軸支部４２は、平板形状を成し、左右方向に並設され、電源空間Ｓ２に設けられた電源回動軸部２１に軸支されている。すなわち、カートリッジ３３は、室内下側台座１４に対して回動可能に支持されている。これにより、カートリッジ本体３４は、電源回動軸部２１を中心に前後方向に回動するようになっている。
【００５７】
図４に良く示されるように、ストッパ３８は、絶縁性の樹脂材料により可撓性を有する帯状に形成されている。ストッパ３８の奥側端は、凹部１４ａの底面（正面側）の上下方向略中央に固定され、その手前側端は、電池収容部３６の左側面の上下方向略中央に固定されている。
【００５８】
続いて、カートリッジ蓋部３５は、絶縁性の樹脂材料で平板状に形成されており、その前端部で左右方向略中央に設けられた蓋ヒンジ部４６を介して電池収容部３６の上端に取り付けられている。カートリッジ蓋部３５は、蓋ヒンジ部４６の軸心を中心に前後方向に回動可能に支持されており、電池収容部３６の各収容空間Ｓ４を開閉することができるようになっている。
【００５９】
カートリッジ蓋部３５の下面には、左右方向に長い矩形状の第２接続端子４７（金属等の導電材料）が、奥行方向に２つ並設されている。各第２接続端子４７は、各電池３２を収容した各収容空間Ｓ４を閉塞した状態で、各電池３２の軸方向他端（上端）側に設けられた第２電極３２ｂ（第１実施形態では正極）に接触するようになっている。また、奥側の第２接続端子４７は、図５において右側のリード金具４０を介して手前側の第１接続端子４４に接続され、手前側の第２接続端子４７は、図５において左側のリード金具４０を介して電源ケーブル４３に接続されるようになっている。すなわち、各リード金具４０、各第１接続端子４４および各第２接続端子４７は、適正な電気回路を形成するように電気的に接続されている。
【００６０】
次に、上記した電池収容構造３１における電池３２の交換作業手順について説明する。
【００６１】
まず、作業者は、フック係合部１４ｃに対するフック部２０ｃの係合を解除し、室内下側台座１４からカバー２０を取り外して、電源空間Ｓ２内の電力供給装置１２を露出させる。この状態では、カートリッジ蓋部３５は、ロックレバー２２の板バネ部２２ａにより下方に向かって付勢されている。また、カートリッジ蓋部３５の背面側端面には、ロックレバー２２の係合突起２２ｃが係合した状態となっている。さらに、ストッパ３８は、撓んで自重により下方に垂れ下がっている（いずれも図３（ａ）および図４（ａ）参照）。
【００６２】
続いて、作業者は、ロックレバー２２の板バネ部２２ａを上方に撓ませてカートリッジ蓋部３５と係合突起２２ｃとの係合を解除し、電源回動軸部２１を中心としてカートリッジ３３を手前側に回動させる。カートリッジ３３の回動が進むと、ストッパ３８が張った状態となり、カートリッジ３３の回動が規制される（図３（ｂ）および図４（ｂ）参照）。すなわち、カートリッジ３３は所定角度（例えば、扉２の内壁面に対して３０°程度）まで傾動し、この所定角度が維持される。これにより、カートリッジ本体３４が意図せず過剰に外側に回動することを防止することができる。なお、ストッパ３８は、所定角度（傾き）となるように、その長さが設定されている。このようなストッパ３８を設ける構成は、第１実施形態に係る電池収容構造３１のようにカートリッジ本体３４の下側に回動中心がある場合に、特に有効である。
【００６３】
このようにカートリッジ３３が手前側に傾いた状態で、作業者は、カートリッジ蓋部３５を奥側に跳ね上げるようにして回動させる（例えば、電池収容部３６の上面に対して９０°程度）。これにより、電池収容部３６の各収容空間Ｓ４が開放される（図３（ｂ）参照）。そして、上端面が露出した各電池３２を軸方向に沿って斜め上方に向かって引き抜いた後、新しい電池３２を斜め上方から各収容空間Ｓ４に挿し込むことにより、電池３２の交換が行われる。第１実施形態に係る電池収容構造３１では、電源回動軸部２１および回動軸支部４２が、カートリッジ３３の下端部に設けられているため、各電池３２の自重を利用して、各電池３２を上方から滑らすようにカートリッジ本体３４内に挿入することで装着（交換）を完了することができる。
【００６４】
次に、作業者は、再びカートリッジ蓋部３５を手前側に回動させ、各収容空間Ｓ４を閉塞し、カートリッジ３３を奥側に回動させる。カートリッジ３３の回動が進むと、ストッパ３８が撓んで折り畳まれると共に、ロックレバー２２の係合突起２２ｃがカートリッジ蓋部３５の上面に摺接し始め、板バネ部２２ａが上方に撓曲して行く。さらに、カートリッジ３３の回動が進むと、板バネ部２２ａの復元力により、係合突起２２ｃがカートリッジ蓋部３５の手前側端面に係止される。この状態で、カートリッジ３３は、室内下側台座１４の凹部１４ａ（電源空間Ｓ２）に不動に保持されている。また、カートリッジ蓋部３５は、ロックレバー２２の板バネ部２２ａにより下方に付勢され、カートリッジ３３の各接続端子４４，４７は、電池３２の各電極３２ａ，３２ｂに当接した状態となっている。
【００６５】
以上の第１実施形態に係る電池収容構造３１によれば、カートリッジ本体３４を回動させることにより傾けて、カートリッジ本体３４を室内下側台座１４の外側に露出させ、その後、カートリッジ蓋部３５を開放することにより、カートリッジ本体３４内の各電池３２を交換することができるようになる。この交換作業は、電池３２を軸方向に挿脱させることで行われる。これにより、電池３２の交換作業を簡単に且つ迅速に行うことができる。また、電池３２の挿脱（交換）時にカートリッジ３３に無理な力が作用することを防止することができる。したがって、カートリッジ３３から延出する電源ケーブル４３に負荷がかかることがなく、電源ケーブル４３の損傷やレセプタクルコネクタ４５の離脱等を有効に抑制することができる。特に、複数の電池３２を交換する場合には、交換作業にかかる手間と時間を有効に削減することができ、作業効率を大幅に向上させることができる。
【００６６】
なお、電源回動軸部２１および回動軸支部４２に代えて、可撓性を有する樹脂からなる所謂樹脂ヒンジを用いてもよい。この場合、カートリッジ基部３７の下面から下方に延出させた部分を凹部１４ａの下端部に固定し、この固定した部分とカートリッジ基部３７との間に樹脂ヒンジを設けることにより、樹脂ヒンジを中心としてカートリッジ３３が回動する。また、蓋ヒンジ部４６を樹脂ヒンジで構成してもよい。
【００６７】
＜第２実施形態＞
次に、図６および図７を参照し、本発明の第２実施形態に係る電池収容構造について説明する。図６は電池収容構造を示す斜視図であり、（ａ）はカバーを取り付けた状態を示し、（ｂ）はカバーおよび電力供給装置１２を回動させた状態を示している。図７は、電池収容構造を示す側断面図であり、カバーおよび電力供給装置１２を回動させた状態を示している。なお、以降、上記した第１実施形態と同様の構成については、同一の符号を付し、その説明を省略する。
【００６８】
上記した第１実施形態に係る電池収容構造３１では、室内下側台座１４からカバー２０が完全に取り外されるように構成されていたが、第２実施形態に係る電池収容構造５０では、カバー５１は、室内下側台座１４の下端側に設けられたカバーヒンジ部５２により回動可能に支持されている。また、第２実施形態に係る電池収容構造５０では、上記した室内下側台座１４の電源回動軸部２１およびカートリッジ基部３７の回動軸支部４２が省略され、カートリッジ３３（電力供給装置１２）はカバー５１の内側に固定されている。
【００６９】
具体的には、カバー５１は、電源空間Ｓ２（開口部１４ｂ）を閉塞可能に形成されるカバー本体５３と、開口部１４ｂの下端縁部に取り付けられたカバーヒンジ部５２を介してカバー本体５３に接続されるカバー固定部５４と、を有し、絶縁性の樹脂材料により一体形成されている。
【００７０】
カバー本体５３は、第１実施形態に係るカバー２０と略同様に背面部５３ａおよび左右一対の側面部５３ｂを有しているが、フック部２０ｃに代えて、その上端部にカバーロック係合部５５が形成されている。カバーロック係合部５５には、室内下側台座１４の開口部１４ｂの上端縁部に設けられたカバーロックノブ５６が係合するようになっている。なお、カバーロックノブ５６は、図示を省略するバネにより常時下方に付勢されており、カバーロックノブ５６を上方にスライドさせることにより、カバーロック係合部５５との係合が解除されるようになっている。
【００７１】
図７に良く示されるように、カバー固定部５４は、カバー本体５３の下端から電源空間Ｓ２内に延出し、奥側端部で上方に屈曲して形成されている。カバー固定部５４は、この屈曲した部分で凹部１４ａの下端部にネジＢ３により固定されている。
【００７２】
カバーヒンジ部５２は、カバー本体５３およびカバー固定部５４よりも薄肉で、可撓性を有する樹脂により形成されている（所謂樹脂ヒンジ）。これにより、カバー本体５３は、カバー固定部５４に対し、カバーヒンジ部５２を中心として回動可能に支持される。
【００７３】
カートリッジ３３は、第１実施形態に係るものと略同一であり、カバー本体５３の背面部５３ａより小さく形成されている。カートリッジ３３は、背面視で背面部５３ａから、はみ出さないように、背面部５３ａの内側（開口部１４ｂを閉塞した状態で電源空間Ｓ２側）に固定されている。したがって、カートリッジ３３は、背面部５３ａと各側面部５３ｂとで囲まれる空間内に臨み、カバー本体５３を回動させて電源空間Ｓ２を閉塞した時に、電源空間Ｓ２内に臨むようになっている。なお、カバー本体５３（背面部５３ａ）に対するカートリッジ３３の固定方法は、ネジ留め、接着剤、その他係合機構等の任意の手段を用いることができる。
【００７４】
また、カバー本体５３が電源空間Ｓ２を閉塞した状態では、カートリッジ３３のカートリッジ蓋部３５は、凹部１４ａの上端部に設けられたロックレバー５７（係合突起２２ｃが省略されている。）に押圧されており、カートリッジ３３の各接続端子４４，４７は、電池３２の各電極３２ａ，３２ｂに当接した状態となっている。これにより、電力供給装置１２において適正な電気回路が形成される。
【００７５】
次に、上記した電池収容構造５０における電池３２の交換手順について説明する。
【００７６】
作業者は、カバーロックノブ５６を押し上げ、カバーロック係合部５５との係合を解除した後、カバーヒンジ部５２を中心として、カバー５１と共にカートリッジ３３を手前側に回動させる。ストッパ３８により回動が規制されると、カバー５１およびカートリッジ３３は所定角度に維持される（図６（ｂ）および図７参照）。
【００７７】
次に、作業者はカートリッジ蓋部３５を回動させて電池収容部３６を開放することにより、各収容空間Ｓ４内に収容された各電池３２の交換が行われる。その後、上記とは逆の手順により、カートリッジ３３が電源空間Ｓ２内に収められると共にカバー５１により開口部１４ｂが閉塞される。
【００７８】
以上の第２実施形態に係る電池収容構造５０によれば、カバー５１とカートリッジ３３とを一体として回動（傾動）させることができる。これにより、カバー５１の開放動作に連動して傾動させ、カートリッジ蓋部３５で閉塞された状態のカートリッジ本体３４を室内下側台座１４の外部に臨ませることができる。これにより、カートリッジ本体３４を容易に室内下側台座１４（開口部１４ｂ）の外部に引き出すことができるため、電池３２の交換作業にかかる工程を簡素化することができる。つまり、電池３２の交換作業を迅速且つ容易に行うことができる。なお、電池収容構造５０では、カバーヒンジ部５２が下端部に設けられているため、各電池３２の自重を利用して、各電池３２を上方から滑らすようにカートリッジ本体３４内に挿入することで装着（交換）を完了することができる。
【００７９】
なお、樹脂から成るカバーヒンジ部５２に代えて、第１実施形態に係るものと同様に、電源回動軸部２１を設けてカバー５１を軸支させるようにしてもよい。
【００８０】
なお、上記した第１および第２実施形態に係るカートリッジ３３では、カートリッジ蓋部３５は、カートリッジ本体３４に取り付けられていたが、これに代えて、蓋ヒンジ部４６を介して室内下側台座１４（凹部１４ａ）に取り付けられていてもよい。この場合、電源空間Ｓ２にカートリッジ３３を収容した状態において、カートリッジ蓋部３５が電池収容部３６を閉塞しており、交換作業に伴うカートリッジ本体３４の回動（傾動）に先立ってカートリッジ蓋部３５を回動させ電池収容部３６が開放される。また他にも、カートリッジ蓋部３５がカバー２０，５１に取り付けられていてもよいし、カートリッジ本体３４の回動（傾動）に連動してカートリッジ蓋部３５を回動させる機構を備えていてもよい。
【００８１】
＜第３実施形態＞
次に、図８を参照し、本発明の第３実施形態に係る電池収容構造について説明する。図８は電池収容構造を示す斜視図であり、電力供給装置１２を回動させた状態を示している。なお、以降、上記した第１実施形態と同様の構成については、同一の符号を付し、その説明を省略する。
【００８２】
第３実施形態に係る電池収容構造６０のカートリッジ６１では、カートリッジ蓋部３５が省略され、各第２接続端子４７がカートリッジ本体６２に設けられている。
【００８３】
詳細には、カートリッジ本体６２は、絶縁性の樹脂材料により、左右方向に貫通して開口を有する枠状に一体形成されており、前後両端面を形成する一対の保持面部６３と、上下両端面を形成する一対の端子形成部６４と、から構成されている。
【００８４】
各保持面部６３と各端子形成部６４とにより囲まれた空間に電池３２が前後左右に２本ずつ並んで収容されるようになっている。また、図示は省略するが、下側の端子形成部６４の上面には２つの第１接続端子４４が設けられ、上側の端子形成部６４の下面には２つの第２接続端子４７が設けられている。さらに、下側の端子形成部６４の下面には、電源空間Ｓ２の電源回動軸部２１に軸支される回動軸支部４２が設けられている。上側の端子形成部６４の上面には、凹部１４ａ（電源空間Ｓ２）のロックレバー２２に係合する係合片部６５が設けられている。なお、電源回動軸部２１および回動軸支部４２に代えて、可撓性を有する樹脂からなる所謂樹脂ヒンジを用いてもよい。
【００８５】
上記した電池収容構造６０において各電池３２を交換するには、まず、カバー２０を完全に取り外した後、ロックレバー２２と係合片部６５との係合を解除し、電源回動軸部２１を中心としてカートリッジ６１を、ストッパ３８により規制されるまで手前側に回動させる。そして、カートリッジ本体６２の左右両側面から、それぞれ電池３２が２本ずつ取り出される。その後、新たな電池３２を装着し、上記とは逆の手順により、カートリッジ６１（カートリッジ本体６２）が電源空間Ｓ２内に回動され、カバー２０が室内下側台座１４に取り付けられる。
【００８６】
以上の第３実施形態に係る電池収容構造６０によれば、カートリッジ６１を回動させて傾けることにより、電池３２の交換作業を行い易い外部にカートリッジ６１を移動させることができる、これにより、電池３２の交換作業を容易に行うことができる。
【００８７】
＜第４実施形態＞
次に、図９を参照し、本発明の第４実施形態に係る電池収容構造について説明する。図９は電池収容構造を示す側断面図であり、電力供給装置１２を回動させた状態を示している。なお、以降、上記した第１ないし第３実施形態と同様の構成については、同一の符号を付し、その説明を省略する。
【００８８】
上記した第１ないし第３実施形態に係る電池収容構造３１，５０，６０では、カートリッジ３３，６１等の回動中心が下側に設けられていたが、第４実施形態に係る電池収容構造７０では、カートリッジ７１の回動中心が上側に設けられている。
【００８９】
例えば、電池収容構造７０のカートリッジ７１は、その上端部手前側に設けられた樹脂ヒンジ７２を介して上方に延出するカートリッジ固定部７３を有している。カートリッジ固定部７３は、室内下側台座１４の上端部にネジＢ４により固定されている。これにより、カートリッジ７１は、樹脂ヒンジ７２を中心に前後方向に回動するように電源空間Ｓ２内で吊り下げられた状態となる。この場合、ロックレバー２２は、凹部１４ａ（電源空間Ｓ２）の下部に配設され、カートリッジ７１の下面には、ロックレバー２２に係合する係合片部７４が設けられている。
【００９０】
なお、樹脂ヒンジ７２に代えて、第１実施形態等と同様に、上端側に配設した電源回動軸部２１に回動軸支部４２を介してカートリッジ７１を軸支させてもよい。また、第２実施形態に係るカバーヒンジ部５２を室内下側台座１４の上端側（開口部１４ｂの上端縁部）に設け、カバー５１を吊り下げられるように構成してもよい。
【００９１】
以上の第４実施形態に係る電池収容構造７０のように、カートリッジ７１の回動中心を上端側に設けた場合には、例えば、カートリッジ蓋部３５を開放すると、各電池３２は自重により脱落するため、各電池３２を容易に取り出すことができる。なお、カートリッジ蓋部３５により電池収容部３６を閉塞した状態でカートリッジ本体３４を回動させることができるため、回動途中で各電池３２が脱落することを防止することができる。
【００９２】
また、カートリッジ７１は上端部から吊り下げられた状態であるため、ロックレバー２２等を解除しても、自重により過剰に回動することがない。このため、ストッパ３８を省略することができ、電池収容構造７０をより簡易な構成とすることができる。
【００９３】
なお、上記した第１ないし第４実施形態に係る電力供給装置１２では、４本の円筒型の電池３２を用いたが、電池３２の個数（本数）は１個（本）以上であればよく、また、例えば直方体型や平型の電池３２を用いてもよい。また、電池３２は、１次電池であってもよいし、２次電池であってもよい。さらに、電池３２の各電極３２ａ，３２ｂの向きも上記に限定されるものではない。また、収容空間Ｓ４の形成数は、電池３２の収容数に応じて設定すればよい。例えば、前後左右それぞれの方向に２以上の収容空間Ｓ４が並設されていてもよいし、収容空間Ｓ４を千鳥状に配設してもよい。
【００９４】
なお、ストッパ３８は、電池収容部３６の左右両側面に設けてもよいし、その前端を電池収容部３６の上部またはカートリッジ蓋部３５に固定して設けてもよい。また、第２実施形態に係る電池収容構造５０の場合にはストッパ３８の後端をカバー５１に固定してもよい。また、可撓性を有する帯状のストッパ３８に代えて、複数の剛体を用いたリンク機構をストッパ３８として用いてもよい。さらに、ストッパ３８を省略してもよい。
【００９５】
なお、上記した第１ないし第４実施形態に係る電力供給装置１２は、室内下側台座１４に内設されていたが、これに代えて、室内上側台座１３や室内側連結部１５、或いは室外側ハンドル４のいずれかに内設するようにしてもよい。
【００９６】
なお、上記した本発明の各実施形態およびその変形例の説明は、本発明に係る電池収容構造３１，５０，６０，７０における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態等における構成要素は適宜、既存の構成要素等との置き換えが可能であり、かつ、他の既存の構成要素との組合せを含む様々なバリエーションが可能であり、上記した本発明の実施形態等の記載をもって、特許請求の範囲に記載された発明の内容を限定するものではない。
【符号の説明】
【００９７】
２  扉
３  室内側ハンドル（ハンドル）
１４  室内下側台座（台座）
１４ｂ  開口部
２０，５１  カバー
２１  電源回動軸部（回動軸部）
３１，５０，６０，７０  電池収容構造
３２  電池
３３，６１，７１  カートリッジ
３４，６２  カートリッジ本体
３５  カートリッジ蓋部
３６  電池収容部
３８  ストッパ
４６  蓋ヒンジ部
５２  カバーヒンジ部
Ｓ２  電源空間
【図１】
2014167237.tif 000003
【図２】
2014167237.tif 000004
【図３】
2014167237.tif 000005
【図４】
2014167237.tif 000006
【図５】
2014167237.tif 000007
【図６】
2014167237.tif 000008
【図７】
2014167237.tif 000009
【図８】
2014167237.tif 000010
【図９】
2014167237.tif 000011